(57)【特許請求の範囲】
【請求項１】
無線ネットワークにおいて使用される第１のネットワークノードであって、
前記無線ネットワークは、第１のユーザ機器と第２のユーザ機器と第２のネットワークノードとを含み、前記第１のネットワークノードと前記第２のネットワークノードとは、第１のリンクを確立するように構成されており、前記第２のネットワークノードと前記第１のユーザ機器とは、第２のリンクを確立するように構成されており、前記第１のネットワークノードと前記第２のユーザ機器とは、第３のリンクを確立するように構成されており、前記第１のリンクと前記第３のリンクとは、同一の物理的ダウンリンク制御チャネルを共有し、
前記第１のネットワークノードは、プロセッサを含み、前記プロセッサは、前記第１のネットワークノードが前記第２のネットワークノードにサービス提供するように構成されており、前記プロセッサは、前記第１のユーザ機器をスケジューリングするために前記第２のネットワークノードによって使用されるために物理的ダウンリンク制御チャネル（ＰＤＣＣＨ）リソースを前記第２のネットワークノードに割り当てることにより、前記第２のリンクと前記第３のリンクとの間の信号伝達干渉を回避するようにさらに構成されている、第１のネットワークノード。
【請求項２】
前記第１のネットワークノードは、前記ＰＤＣＣＨリソースを前記第２のユーザ機器に割り当ることにより、前記第２のユーザ機器のためのスケジューリング情報を提供するようにさらに構成されている、請求項１に記載の第１のネットワークノード。
【請求項３】
前記第１のネットワークノードは、第２のＰＤＣＣＨリソースを中継ノードに割り当てるようにさらに構成されており、前記第１のネットワークノードは、前記中継ノードおよび前記第２のネットワークノードの両方へのＰＤＣＣＨリソースの割り当てを独占的に制御する、請求項１または２に記載の第１のネットワークノード。
【請求項４】
前記第１のネットワークノードは、前記ＰＤＣＣＨリソースを決定するようにさらに構成されている、請求項１〜３のいずれかに記載の第１のネットワークノード。
【請求項５】
前記第１のネットワークノードは、無線リソース制御（ＲＲＣ）信号伝達を使用して、前記ＰＤＣＣＨリソースを伝送するようにさらに構成されている、請求項１〜４のいずれかに記載の第１のネットワークノード。
【請求項６】
無線ネットワークにおける第１のネットワークノードにおいて実装される方法であって、前記無線ネットワークは、第１のユーザ機器と第２のユーザ機器と第２のネットワークノードとを含み、前記第１のネットワークノードと前記第２のネットワークノードとは、第１のリンクを確立するように構成されており、前記第２のネットワークノードと前記第１のユーザ機器とは、第２のリンクを確立するように構成されており、前記第１のネットワークノードと前記第２のユーザ機器とは、第３のリンクを確立するように構成されており、前記第１のリンクと前記第３のリンクとは、同一の物理的ダウンリンク制御チャネルを共有し、
前記方法は、前記第１のネットワークノードが、物理的ダウンリンク制御チャネル（ＰＤＣＣＨ）リソースを前記第１のネットワークノードによってサービス提供された前記第２のネットワークノードに割り当てることを含み、前記ＰＤＣＣＨリソースは、前記第１のユーザ機器をスケジューリングするために前記第２のネットワークノードによって使用されるために割り当てられ、これにより、前記第２のリンクと前記第３のリンクとの間の信号伝達干渉を回避する、方法。
【請求項７】
前記第１のネットワークノードが、前記ＰＤＣＣＨリソースを前記第２のユーザ機器に割り当てることにより、前記第２のユーザ機器のためのスケジューリング情報を提供することをさらに含む、請求項６に記載の方法。
【請求項８】
第２のＰＤＣＣＨリソースを中継ノードに割り当てることと、
前記第１のネットワークノードを独占的に使用して、前記第２のネットワークノードへの前記ＰＤＣＣＨリソースの割り当ておよび前記中継ノードへの前記第２のＰＤＣＣＨリソースの割り当てを制御することと
をさらに含む、請求項６または７に記載の方法。
【請求項９】
前記第１のネットワークノードを使用して、前記ＰＤＣＣＨリソースを決定することをさらに含む、請求項６〜８のいずれかに記載の方法。
【請求項１０】
前記第１のネットワークノードが、無線リソース制御（ＲＲＣ）信号伝達を使用して、前記ＰＤＣＣＨリソースを伝達することをさらに含む、請求項６〜９のいずれかに記載の方法。
【請求項１１】
無線ネットワークにおいて使用される第１のネットワークノードであって、
前記無線ネットワークは、第２のネットワークノードと第１のユーザ機器と第２のユーザ機器とを含み、前記第２のネットワークノードと前記第１のネットワークノードとは、第１のリンクを確立するように構成されており、前記第１のネットワークノードと前記第１のユーザ機器とは、第２のリンクを確立するように構成されており、前記第２のネットワークノードと前記第２のユーザ機器とは、第３のリンクを確立するように構成されており、前記第１のリンクと前記第３のリンクとは、同一の物理的ダウンリンク制御チャネルを共有し、
前記第１のネットワークノードは、プロセッサを含み、前記プロセッサは、前記第１のネットワークノードが前記第２のネットワークノードによってサービス提供されるように構成されており、前記第１のネットワークノードは、前記第２のネットワークノードによって割り当てられた物理的ダウンリンク制御チャネル（ＰＤＣＣＨ）リソースを受信するように構成されており、前記第１のネットワークノードは、前記第１のユーザ機器をスケジューリングするために前記受信されたＰＤＣＣＨリソースを使用することにより、前記第２のリンクと前記第３のリンクとの間の信号伝達干渉を回避するようにさらに構成されている、ユーザ機器。
【請求項１２】
前記第１のネットワークノードは、前記受信されたＰＤＣＣＨリソースを使用して、前記第１のネットワークノードのためのスケジューリング情報を提供するようにさらに構成されている、請求項１１に記載の第１のネットワークノード。
【請求項１３】
無線ネットワークにおける第１のネットワークノードにおいて実装される方法であって、前記無線ネットワークは、第２のネットワークノードと第１のユーザ機器と第２のユーザ機器とを含み、前記第２のネットワークノードと前記第１のネットワークノードとは、第１のリンクを確立するように構成されており、前記第１のネットワークノードと前記第１のユーザ機器とは、第２のリンクを確立するように構成されており、前記第２のネットワークノードと前記第２のユーザ機器とは、第３のリンクを確立するように構成されており、前記第１のリンクと前記第３のリンクとは、同一の物理的ダウンリンク制御チャネルを共有し、
前記方法は、
前記第１のネットワークノードが、前記第２のネットワークノードによって割り当てられた物理的ダウンリンク制御チャネル（ＰＤＣＣＨ）リソースを受信することと、
前記受信されたＰＤＣＣＨリソースを使用して、前記第１のユーザ機器をスケジューリングすることにより、前記第２のリンクと前記第３のリンクとの間の信号伝達干渉を回避することと
を含む、方法。
【請求項１４】
前記第１のネットワークノードが、前記受信されたＰＤＣＣＨリソースを使用して、前記第１のユーザ機器のためのスケジューリング情報を提供することをさらに含む、請求項１３に記載の方法。
【請求項１５】
無線ネットワークにおいて使用される第１のネットワークノードであって、
前記無線ネットワークは、第１のユーザ機器と第２のユーザ機器と第２のネットワークノードとを含み、前記第１のネットワークノードと前記第２のネットワークノードとは、第１のリンクを確立するように構成されており、前記第２のネットワークノードと前記第１のユーザ機器とは、第２のリンクを確立するように構成されており、前記第１のネットワークノードと前記第２のユーザ機器とは、第３のリンクを確立するように構成されており、前記第１のリンクと前記第３のリンクとは、同一の物理的ダウンリンク制御チャネルを共有し、
前記第１のネットワークノードは、プロセッサを含み、前記プロセッサは、前記第１のネットワークノードが前記第２のネットワークノードにサービス提供するように構成されており、前記第１のネットワークノードは、物理的アップリンク制御信号伝達リソースを決定するように構成されており、
前記プロセッサは、前記物理的アップリンク制御信号伝達リソースを前記第１のリンクと前記第２のリンクとを介して前記第１のユーザ機器に伝送するようにさらに構成されており、前記物理的アップリンク制御信号伝達リソースは、前記第１のユーザ機器によるアップリンク伝送のために前記第１のネットワークノードによって割り当てられ、これにより、前記第２のリンクと前記第３のリンクとの間の信号伝達干渉を回避する、第１のネットワークノード。
【請求項１６】
前記物理的アップリンク制御信号伝達リソースは、物理的アップリンク制御チャネル（ＰＵＣＣＨ）および発音基準信号（ＳＲＳ）のうちの１つ以上を含む、請求項１５に記載の第１のネットワークノード。
【請求項１７】
前記物理的アップリンク制御信号伝達リソースは、ＰＵＣＣＨリソースを含み、前記ＰＵＣＣＨリソースは、アップリンクチャネル品質インジケータ（ＣＱＩ）、プリコーディングマトリクスインジケータ（ＰＭＩ）、または、順位表示（ＲＩ）のうちの少なくとも１つを含む、請求項１５または１６に記載の第１のネットワークノード。
【請求項１８】
前記第１のネットワークノードは、無線リソース制御（ＲＲＣ）信号伝達を使用して、前記物理的アップリンク制御信号伝達リソースを伝送するように構成されている、請求項１５〜１７のいずれかに記載の第１のネットワークノード。
【請求項１９】
無線ネットワークにおける第１のネットワークノードにおいて実装される方法であって、前記無線ネットワークは、第１のユーザ機器と第２のユーザ機器と第２のネットワークノードを含み、前記第１のネットワークノードと前記第２のネットワークノードとは、第１のリンクを確立するように構成されており、前記第２のネットワークノードと前記第１のユーザ機器とは、第２のリンクを確立するように構成されており、前記第１のネットワークノードと前記第２のユーザ機器とは、第３のリンクを確立するように構成されており、前記第１のリンクと前記第３のリンクとは、同一の物理的アップリンク制御チャネルを共有し、
前記方法は、
前記第１のネットワークノードが、前記物理的アップリンク制御信号伝達リソースを決定することと、
前記第１のネットワークノードが、前記物理的アップリンク制御信号伝達リソースを前記第１のリンクと前記第３のリンクとを介して前記第１のユーザ機器に伝送することと
を含み、
前記物理的アップリンク制御信号伝達リソースは、前記第１のユーザ機器からのアップリンク伝送のために、前記第１のネットワークノードによって割り当てられ、前記第２のリンクと前記第３のリンクとの間の信号伝達干渉を回避する、方法。
【請求項２０】
前記物理的アップリンク制御信号伝達リソースは、物理的アップリンク制御チャネル（ＰＵＣＣＨ）および発音基準信号（ＳＲＳ）のうちの１つ以上を含む、請求項１９に記載の方法。
【請求項２１】
前記物理的アップリンク制御信号伝達リソースは、ＰＵＣＣＨリソースを含み、前記ＰＵＣＣＨリソースは、アップリンクチャネル品質インジケータ（ＣＱＩ）、プリコーディングマトリクスインジケータ（ＰＭＩ）、または、順位表示（ＲＩ）のうちの少なくとも１つを含む、請求項１９または２０に記載の方法。
【請求項２２】
前記物理的アップリンク制御信号伝達リソースを伝送することは、無線リソース制御（ＲＲＣ）信号伝達を使用することを含む、請求項１９〜２１のいずれかに記載の方法。
【請求項２３】
前記第１のネットワークノードが、第２の物理的アップリンク制御信号伝達リソースを前記第２のユーザ機器に割り当てることと、
前記第１のネットワークノードが、前記第１のユーザ機器への前記物理的アップリンク制御信号伝達リソースの割り当ておよび前記第２のユーザ機器への前記第２の物理的アップリンク制御信号伝達リソースの割り当ての両方を制御することと
をさらに含む、請求項１９〜２２のいずれかに記載の方法。
【請求項２４】
前記物理的アップリンク制御信号伝達リソースは、ＰＵＣＣＨリソースを含み、
前記方法は、前記ＰＵＣＣＨリソース上での前記第１のユーザ機器からの伝送を前記第２のネットワークノードを介して受信することをさらに含む、請求項１９〜２３のいずれかに記載の方法。
【請求項２５】
前記第１のネットワークノードが、前記物理的アップリンク制御信号伝達リソースをアップデートすることと、
前記第１のネットワークノードが、前記アップデートされた物理的アップリンク制御信号伝達リソースを前記第１のユーザ機器に伝送することと
をさらに含む、請求項１９〜２４のいずれかに記載の方法。
【請求項２６】
無線ネットワークにおける第１のネットワークノードであって、
前記無線ネットワークは、第２のネットワークノードと第１のユーザ機器と第２のユーザ機器とを含み、前記第２のネットワークノードと前記第１のユーザ機器とは、第１のリンクを確立するように構成されており、前記第２のネットワークノードと前記第２のユーザ機器とは、第２のリンクを確立するように構成されており、前記第１のリンクと前記第２のリンクとは、同一の物理的アップリンク制御チャネルを共有し、前記第２のネットワークノードは、前記第１のユーザ機器にサービス提供するように構成されており、
前記第１のネットワークノードは、プロセッサを含み、前記プロセッサは、前記第１のネットワークノードが前記第１のユーザ機器との第３のリンクを確立するように構成されており、前記第１のネットワークノードは、前記第２のネットワークノードによって割り当てられた物理的アップリンク制御信号伝達リソースを前記第１のリンクと前記第２のリンクとを介して受信するように構成されており、前記第１のネットワークノードは、前記受信された物理的アップリンク制御信号伝達リソースを使用することにより、前記第３のリンクと前記第２のリンクとの間の信号伝達干渉を回避するようにさらに構成されている、第１のネットワークノード。
【請求項２７】
前記物理的アップリンク制御信号伝達リソースは、ＰＵＣＣＨリソースを含み、前記ＰＵＣＣＨリソースは、アップリンクチャネル品質インジケータ（ＣＱＩ）、プリコーディングマトリクスインジケータ（ＰＭＩ）、または、順位表示（ＲＩ）のうちの少なくとも１つを含む、請求項２６に記載の第１のネットワークノード。
【請求項２８】
無線ネットワークにおける第１のネットワークノードにおいて実装される方法であって、前記無線ネットワークは、第２のネットワークノードと第１のユーザ機器と第２のユーザ機器とを含み、前記第２のネットワークノードと前記第１のユーザ機器とは、第１のリンクを確立するように構成されており、前記第２のネットワークノードと前記第２のユーザ機器とは、第２のリンクを確立するように構成されており、前記第１のネットワークノードと前記第１のユーザ機器とは、第３のリンクを確立するように構成されており、前記第１のリンクと前記第２のリンクとは、同一の物理的アップリンク制御チャネルを共有し、前記第２のネットワークノードは、前記第１のユーザ機器にサービス提供するように構成されており、前記方法は、
前記第１のネットワークノードが、前記第２のネットワークノードによって割り当てられた物理的アップリンク制御信号伝達リソースを前記第１のリンクと前記第３のリンクとを介して受信することと、
前記第１のネットワークノードが、前記受信された物理的アップリンク制御信号伝達リソースを使用することにより、前記第３のリンクと前記第２のリンクとの間の信号伝達干渉を回避することと
を含む、方法。
【請求項２９】
前記受信された物理的アップリンク制御信号伝達リソースは、ＰＵＣＣＨリソースを含み、前記ＰＵＣＣＨリソースは、アップリンクチャネル品質インジケータ（ＣＱＩ）、プリコーディングマトリクスインジケータ（ＰＭＩ）、または、順位表示（ＲＩ）のうちの少なくとも１つを含む、請求項２８に記載の方法。
【請求項３０】
コンピュータ読み取り可能命令が記録されたコンピュータ読み取り可能格納媒体であって、前記コンピュータ読み取り可能命令は、請求項６〜１０または１３〜１４または１９〜２５または２８〜２９のいずれかに記載の方法を実行することをコンピューティングデバイスのプロセッサに行わせる、コンピュータ読み取り可能格納媒体。
【発明の詳細な説明】
【背景技術】
【０００１】
本明細書で使用される場合、用語「ユーザエージェント」および「ＵＡ」は、ある場合には、携帯電話、携帯端末、ハンドヘルドまたはラップトップコンピュータ、および電気通信能力を有する類似デバイス等のモバイルデバイスを指す場合がある。そのようなＵＡは、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケ
ーションを含む、汎用集積回路カード（ＵＩＣＣ）等のＵＡおよびその関連付けられた可撤性メモリモジュールから成る場合があるが、それらに限定されない。代替として、そのようなＵＡは、そのようなモジュールを伴わずに、デバイス単体から成る場合がある。他の場合には、用語「ＵＡ」は、デスクトップコンピュータ、セットトップボックス、またはネットワーク機器等の類似能力を有するが、可搬性ではない、デバイスを指す場合がある。また、用語「ＵＡ」は、ユーザのための通信セッションを終了させることが可能な、任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、互換的に使用される場合がある。
【０００２】
電気通信技術の進歩に伴って、以前は不可能であったサービスを提供可能な、より高度なネットワークアクセス機器が導入されてきている。本ネットワークアクセス機器は、従来の無線電気通信システムにおける同等機器の改良である、システムおよびデバイスを含む場合がある。そのような高度または次世代機器は、ロング・ターム・エボリューション（ＬＴＥ）等の発展的無線通信規格に含まれ得る。例えば、ＬＴＥシステムは、拡張ノードＢ（ｅＮＢ）、無線アクセスポイント、または従来の基地局ではない類似構成要素を含む場合がある。本明細書で使用されるように、用語「アクセスノード」は、ＵＡまたは中継ノードの電気通信システム内の他の構成要素へのアクセスを可能にする、受信および伝送範囲の地理的面積を生成する、従来の基地局、無線アクセスポイント、またはＬＴＥ  ｅＮＢ等の無線ネットワークの任意の構成要素を指す。本書では、用語「アクセスノード」および「アクセスノード」は、互換的に使用され得るが、アクセスノードは、複数のハードウェアおよびソフトウェアを備え得ることを理解されたい。
【０００３】
用語「アクセスノード」は、アクセスノードまたは別の中継ノードによって生成される範囲を拡張あるいは増進させるように構成される、無線ネットワーク内の構成要素である、「中継ノード」を指すわけではない。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合があることを理解されたい。しかしながら、構成要素は、アクセスノードまたは他の中継ノードの無線範囲が、無線通信システム内の他の構成要素にアクセスすることを要求する場合のみ、「中継ノード」と呼ばれる。加えて、２つ以上の中継ノードは、アクセスノードによって生成される範囲を拡張または増進させるために、直列的に使用され得る。
【０００４】
ＬＴＥシステムは、ＵＡとネットワークノードまたは他のＬＴＥ機器との間の無線リソースの割り当て、構成、および解放に関与する、無線リソース制御（ＲＲＣ）プロトコル等のプロトコルを含み得る。ＲＲＣプロトコルについては、第３世代パートナーシッププロジェクト（３ＧＰＰ）技術仕様（ＴＳ）３６．３３１に詳述されている。ＲＲＣプロトコルによると、ＵＡのための２つの基礎ＲＲＣモードは、「アイドルモード」および「接続モード」として定義される。接続モードまたは状態の間、ＵＡは、信号をネットワークと交換し、他の関連動作を行い得る一方、アイドルモードまたは状態の間、ＵＡは、その接続モード動作の少なくとも一部を停止し得る。アイドルおよび接続モード挙動については、３ＧＰＰ  ＴＳ  ３６．３０４およびＴＳ  ３６．３３１に詳述されている。
【０００５】
ＵＡ、中継ノード、およびアクセスノード間でデータを搬送する信号は、周波数、時間、およびコーディングパラメータ、ならびにネットワークノードによって指定される場合がある他の特性を有し得る。そのような特性の特有の集合を有する、これらの要素のいずれか間の接続は、リソースと称され得る。用語「リソース」、「通信接続」、「チャネル」、および「通信リンク」は、本明細書では、同義的に使用される場合がある。ネットワークノードは、典型的には、各ＵＡまたは任意の特定の時間に通信する他のネットワークノードのために、異なるリソースを確立する。
【発明の概要】
【課題を解決するための手段】
【０００６】
初めに、本開示の１つ以上の実施形態の例証的実装が後述されるが、開示されるシステムおよび／または方法は、現在既知または存在するかどうかにかかわらず、任意の数の技術を使用して、実装されてもよいことを理解されたい。本開示は、本明細書に例証および説明される例示的設計および実装を含め、以下に例証される例証的実装、図面、ならびに技術にいかようにも限定されるものではなく、添付の請求項の範囲とともに、それらの均等物の全範囲内において修正されてもよい。
例えば、本願発明は以下の項目を提供する。
（項目１）
アクセスノードであって、
中継ノードへの物理的ダウンリンク制御チャネル（ＰＤＣＣＨ）リソースの割り当てを促進するように構成されるプロセッサを備え、該ＰＤＣＣＨリソースは、該中継ノードによる使用のために構成され、該アクセスノードは、該ＰＤＣＣＨリソースの割り当てを独占的に制御するようにさらに構成される、アクセスノード。
（項目２）
前記ＰＤＣＣＨリソースは、ユーザエージェントにスケジューリング情報を提供するようにさらに構成される、項目１に記載のアクセスノード。
（項目３）
前記アクセスノードは、第２のＰＤＣＣＨリソースを第２の中継ノードに割り当てるようにさらに構成され、該アクセスノードは、前記中継ノードおよび該第２の中継ノードの両方へのＰＤＣＣＨリソースの割り当てを独占的に制御する、項目１または２に記載のアクセスノード。
（項目４）
前記アクセスノードは、ＰＤＣＣＨリソースを決定するようにさらに構成される、項目１〜３のいずれかに記載のアクセスノード。
（項目５）
前記アクセスノードは、無線リソース制御（ＲＲＣ）信号伝達を使用して、前記ＰＤＣＣＨリソースを伝送するようにさらに構成される、項目１〜４のいずれかに記載のアクセスノード。
（項目６）
アクセスノードに実装される方法であって、
物理的ダウンリンク制御チャネル（ＰＤＣＣＨ）リソースを中継ノードに割り当てることであって、該ＰＤＣＣＨリソースは、該中継ノードによる使用のために構成される、ことと、
該アクセスノードを独占的に使用して、該ＰＤＣＣＨリソースの割り当てを制御することと
を含む、方法。
（項目７）
前記ＰＤＣＣＨリソースは、ユーザエージェントにスケジューリング情報を提供するようにさらに構成される、項目６に記載の方法。
（項目８）
第２のＰＤＣＣＨリソースを第２の中継ノードに割り当てることと、
前記アクセスノードを独占的に使用して、前記中継ノードへの前記ＰＤＣＣＨリソースの割り当てと、該第２の中継ノードへの該第２のＰＤＣＣＨリソースの割り当てとを制御することと
をさらに含む、項目６または７に記載の方法。
（項目９）
前記アクセスノードを使用して、前記ＰＤＣＣＨリソースを決定することをさらに含む、項目６〜８のいずれかに記載の方法。
（項目１０）
無線リソース制御（ＲＲＣ）信号伝達を使用して、前記ＰＤＣＣＨリソースを伝達するステップをさらに含む、項目６〜９のいずれかに記載の方法。
（項目１１）
中継ノードであって、
物理的ダウンリンク制御チャネル（ＰＤＣＣＨ）リソースのアクセスノードからの受信を促進するように構成されるプロセッサを備え、該中継ノードは、該受信したＰＤＣＣＨリソースを使用するようにさらに構成される、中継ノード。
（項目１２）
前記中継ノードは、前記受信したＰＤＣＣＨリソースを使用して、ユーザエージェントにスケジューリング情報を提供するようにさらに構成される、項目１１に記載の中継ノード。
（項目１３）
中継ノードに実装される方法であって、
物理的ダウンリンク制御チャネル（ＰＤＣＣＨ）リソースをアクセスノードから受信することと、
少なくともいくつかのＰＤＣＣＨリソースのうち、該受信したＰＤＣＣＨリソースのみを使用することと
を含む、方法。
（項目１４）
前記受信したＰＤＣＣＨリソースを使用して、前記ユーザエージェントにスケジューリング情報を提供することをさらに含む、項目１３に記載の方法。
（項目１５）
アクセスノードであって、
ユーザエージェントへの物理的アップリンク制御信号伝達リソースの伝送を促進するように構成されるプロセッサを備え、該物理的アップリンク制御信号伝達リソースは、該アクセスノードによって、該ユーザエージェントによるアップリンク伝送のために構成され、該アクセスノードは、該物理的アップリンク制御信号伝達リソースの割り当てを独占的に制御するようにさらに構成される、アクセスノード。
（項目１６）
前記ユーザエージェントは、中継ノードと通信する、項目１５に記載のアクセスノード。
（項目１７）
前記プロセッサは、中継ノードへの前記物理的アップリンク制御チャネル信号伝達リソースの伝送を促進するようにさらに構成される、項目１５または１６に記載のアクセスノード。
（項目１８）
前記物理的アップリンク制御信号伝達リソースは、物理的アップリンク制御チャネル（ＰＵＣＣＨ）および発音基準信号（ＳＲＳ）のうちの１つである、項目１５〜１７のいずれかに記載のアクセスノード。
（項目１９）
前記物理的アップリンク制御信号伝達リソースは、直接リンク、アクセスリンク、および中継リンクのうちの１つを介して伝送される、項目１５〜１８のいずれかに記載のアクセスノード。
（項目２０）
前記物理的アップリンク制御信号伝達リソースは、ＰＵＣＣＨリソースを備え、該ＰＵＣＣＨリソースは、アップリンクチャネル品質インジケータ（ＣＱＩ）、プリコーディングマトリクスインジケータ（ＰＭＩ）、および順位表示（ＲＩ）のうちの少なくとも１つを備える、項目１５〜１９のいずれかに記載のアクセスノード。
（項目２１）
前記アクセスノードは、無線リソース制御（ＲＲＣ）信号伝達を使用して、前記物理的アップリンク制御信号伝達リソースを伝送するようにさらに構成される、項目１５〜２０のいずれかに記載のアクセスノード。
（項目２２）
前記アクセスノードは、前記物理的アップリンク制御信号伝達リソースを決定するようにさらに構成される、項目１５〜２１のいずれかに記載のアクセスノード。
（項目２３）
アクセスノードに実装される方法であって、
物理的アップリンク制御信号伝達リソースをユーザエージェントに伝送することであって、該物理的アップリンク制御信号伝達リソースは、該アクセスノードによって、該ユーザエージェントによるアップリンク伝送のために構成される、ことと、
該アクセスノードを独占的に使用して、該物理的アップリンク制御信号伝達リソースの割り当てを制御することと
を含む、方法。
（項目２４）
前記ユーザエージェントは、中継ノードと通信する、項目２３に記載の方法。
（項目２５）
前記物理的アップリンク制御信号伝達リソースは、物理的アップリンク制御チャネル（ＰＵＣＣＨ）および発音基準信号（ＳＲＳ）のうちの１つである、項目２３または２４に記載の方法。
（項目２６）
前記物理的アップリンク制御信号伝達リソースを中継ノードに伝送することをさらに含む、項目２３〜２５のいずれかに記載の方法。
（項目２７）
前記物理的アップリンク制御信号伝達リソースは、ＰＵＣＣＨリソースを備え、該ＰＵＣＣＨリソースは、アップリンクチャネル品質インジケータ（ＣＱＩ）、プリコーディングマトリクスインジケータ（ＰＭＩ）、および順位表示（ＲＩ）のうちの少なくとも１つを備える、項目２３〜２６のいずれかに記載の方法。
（項目２８）
無線リソース制御（ＲＲＣ）信号伝達を使用して、前記物理的アップリンク制御信号伝達リソースを伝送するステップをさらに含む、項目２３〜２７のいずれかに記載の方法。（項目２９）
前記物理的アップリンク制御信号伝達リソースを決定することをさらに含む、項目２３〜２８のいずれかに記載の方法。
（項目３０）
第２の物理的アップリンク制御信号伝達リソースを第２のユーザエージェントに割り当てることと、
前記アクセスノードを独占的に使用して、前記ユーザエージェントへの前記物理的アップリンク制御信号伝達リソースの割り当てと、該第２のユーザエージェントへの該第２の物理的アップリンク制御信号伝達リソースの割り当てとの両方を制御することと
をさらに含む、項目２３〜２９のいずれかに記載の方法。
（項目３１）
前記物理的アップリンク制御信号伝達リソースは、ＰＵＣＣＨリソースを備え、
該ＰＵＣＣＨリソース上での前記ユーザエージェントからの伝送を前記中継ノードで受信するステップをさらに含む、項目２３〜３０のいずれかに記載の方法。
（項目３２）
前記物理的アップリンク制御信号伝達リソースをアップデートすることと、
該アップデートされた物理的アップリンク制御信号伝達リソースを前記ユーザエージェントに伝送することと
をさらに含む、項目２３〜３１のいずれかに記載の方法。
（項目３３）
ユーザエージェントであって、
物理的アップリンク制御信号伝達リソースのアクセスノードからの受信を促進するように構成されるプロセッサを備え、該ユーザエージェントは、少なくともいくつかの物理的アップリンク制御信号伝達リソースのうち、該受信した物理的アップリンク制御信号伝達リソースのみを使用するようにさらに構成される、ユーザエージェント。
（項目３４）
前記ユーザエージェントは、中継ノードと通信する、項目３３に記載のユーザエージェント。
（項目３５）
前記物理的アップリンク制御信号伝達リソースは、ＰＵＣＣＨリソースを備え、該ＰＵＣＣＨリソースは、アップリンクチャネル品質インジケータ（ＣＱＩ）、プリコーディングマトリクスインジケータ（ＰＭＩ）、および順位表示（ＲＩ）のうちの少なくとも１つを備える、項目３３または３４に記載のユーザエージェント。
（項目３６）
ユーザエージェントに実装される方法であって、
物理的アップリンク制御信号伝達リソースをアクセスノードから受信することと、
少なくともいくつかの物理的アップリンク制御信号伝達リソースのうち、該受信した物理的アップリンク制御信号伝達リソースのみを使用することと
を含む、方法。
（項目３７）
前記ユーザエージェントは、中継ノードと通信する、項目３６に記載の方法。
（項目３８）
前記受信した物理的アップリンク制御信号伝達リソースは、ＰＵＣＣＨリソースを備え、該ＰＵＣＣＨリソースは、アップリンクチャネル品質インジケータ（ＣＱＩ）、プリコーディングマトリクスインジケータ（ＰＭＩ）、および順位表示（ＲＩ）のうちの少なくとも１つを備える、項目３６または３７に記載の方法。
（項目３９）
コンピューティングデバイスのプロセッサによって実行可能なコンピュータ読み取り可能命令を格納するコンピュータ読み取り可能媒体であって、該コンピュータ読み取り可能命令は、項目６〜１０、または１３〜１４、または２３〜３２、または３６〜３８のいずれかに記載の方法を該デバイスに実装させる、コンピュータ読み取り可能媒体。
【０００７】
本開示のより完全な理解のために、添付の図面および発明を実施するための形態と併せて、以下の簡単な説明を参照する（類似の参照番号は、類似の部品を表す）。
【図面の簡単な説明】
【０００８】
【図１】図１は、本開示のある実施形態による、中継ノードを使用する無線通信システムを例証する概略図である。
【図２】図２は、本開示のある実施形態による、異なるリンクを介した制御信号伝達を例証する概略図である。
【図３】図３は、本開示のある実施形態による、ダウンリンク制御信号伝達干渉を例証する概略図である。
【図４】図４は、本開示のある実施形態による、アップリンク制御信号伝達干渉を例証する概略図である。
【図５Ａ】図５Ａは、本開示のある実施形態による、アクセスノードを使用して、ダウンリンク物理的ダウンリンク制御チャネルリソースを割り当てるための方法の工程図である。
【図５Ｂ】図５Ｂは、本開示のある実施形態による、中継ノードを使用して、ダウンリンク物理的ダウンリンク制御チャネルリソースを許可するための方法の工程図である。
【図６Ａ】図６Ａは、本開示のある実施形態による、アクセスノードを使用して、アップリンク物理的ダウンリンク制御チャネルリソースを割り当てるための方法の工程図である。
【図６Ｂ】図６Ｂは、本開示のある実施形態による、中継ノードを使用して、アップリンク物理的ダウンリンク制御チャネルリソースを許可するための方法の工程図である。
【図７】図７は、本明細書に開示される１つ以上の実施形態を実装するために好適な処理構成要素を含む、システムの実施例を例証する。
【発明を実施するための形態】
【０００９】
図１は、本開示のある実施形態による、中継ノード１０２を使用する、無線通信システム１００を例証する概略図である。概して、本開示は、無線通信ネットワークにおける中継ノードの使用に関する。無線通信ネットワークの実施例として、ＬＴＥまたはＬＴＥ-
アドバンスド（ＬＴＥ-Ａ）ネットワークが挙げられるが、開示および請求される実施形態はすべて、ＬＴＥ-Ａネットワークに実装され得る。中継ノード１０２は、ＵＡ１１０
から受信した信号を増幅または反復し、修正された信号をアクセスノード１０６で受信させることが可能である。中継ノード１０２のいくつかの実装では、中継ノード１０２は、データを伴う信号をＵＡ１１０から受信し、次いで、新しい信号を生成し、データをアクセスノード１０６に伝送する。また、中継ノード１０２は、データをアクセスノード１０６から受信し、データをＵＡ１１０に送達可能である。中継ノード１０２は、ＵＡ１１０が、セルのためのアクセスノード１０６と直接通信するのではなく、中継ノード１０２と通信可能であるように、セルのエッジ近傍に設置される場合がある。
【００１０】
無線システムでは、セルは、受信および伝送範囲の地理的面積である。セルは、相互に重複可能である。典型的実施例では、各セルと関連付けられた１つのアクセスノードが存在する。セルのサイズは、周波数帯域、電力レベル、およびチャネル条件等の要因によって決定される。中継ノード１０２等の中継ノードを使用して、セル内またはその近傍の範囲を増進させる、あるいはセルの範囲のサイズを拡張させることが可能である。加えて、中継ノード１０２の使用は、ＵＡ１１０がセルのためのアクセスノード１０６と直接通信する場合に使用し得るものより高いデータ速度または低い電力伝送で、ＵＡ１１０が中継ノード１０２にアクセス可能であるため、セル内の信号のスループットを増進させることが可能である。より高いデータ速度における伝送は、より少ないバッテリ電力を消耗することによって、より高いスペクトル効率を生成し、ＵＡ１１０に恩恵をもたらす。
【００１１】
中継ノードは、概して、３つのタイプ、すなわち、層１中継ノード、層２中継ノード、および層３中継ノードに分割可能である。層１中継ノードは、本質的に、増幅および若干の遅延以外、任意の修正を伴わずに、伝送を再伝送可能な中継器である。層２中継ノードは、受信した伝送をデコードし、デコーティングの結果を再エンコードし、次いで、再エンコードされたデータを伝送可能である。層３中継ノードは、完全無線リソース制御能力を有することが可能であって、したがって、アクセスノードと同様に機能可能である。中継ノードによって使用される無線リソース制御プロトコルは、アクセスノードによって使用されるものと同一であってもよく、中継ノードは、典型的には、アクセスノードによって使用される、一意のセル識別子を有してもよい。本開示の目的のために、中継ノードは、少なくとも１つのアクセスノード（および、そのアクセスノードと関連付けられたセル）の存在または他の中継ノードに、電気通信システム内の他の構成要素にアクセスすることを要求するという事実によって、アクセスノードと区別される。例証的実施形態は、主に、層２または層３中継ノードに関係している。したがって、本明細書で使用されるように、用語「中継ノード」は、別途具体的に記述されない限り、層１中継ノードを指さない。
【００１２】
通信システム１００では、無線通信を可能にするリンクは、３つの個別のタイプであると言える。１つ目は、ＵＡ１１０が、中継ノード１０２を経由して、アクセスノード１０６と通信時、ＵＡ１１０と中継ノード１０２との間の通信リンクは、アクセスリンク１０８を介して生じていると言える。２つ目は、中継ノード１０２とアクセスノード１０６との間の通信は、中継リンク１０４を介して生じていると言える。３つ目は、中継ノード１０２を通過せずに、ＵＡ１１０とアクセスノード１０６との間を直接通過する通信は、直接リンク１１２を介して生じていると言える。用語「アクセスリンク」、「中継リンク」、および「直接リンク」は、図１によって説明される意味に従って、本書では使用される。
【００１３】
上述のように、いくつかの無線通信システムは、中継ノードを実装する。しかしながら、無線通信の際、いくつかのＵＡは、アクセスノードと直接通信し得る一方、他のＵＡは、中継ノードを使用して、アクセスノードと通信する。複数のＵＡに通信を提供するためのアクセスノードおよび中継ノードの両方の本同時使用は、望ましくない干渉を発生させ得る。
【００１４】
本干渉は、中央制御機構を使用して克服可能である。一実施形態では、アクセスノードは、中央制御機構である。アクセスノードは、中継ノードへの物理的ダウンリンク制御チャネル（ＰＤＣＣＨ）リソースの割り当てを促進するように構成される、プロセッサを含む。ＰＤＣＣＨリソースは、中継ノードによる使用のために構成される。アクセスノードは、ＰＤＣＣＨリソースの割り当てを独占的に制御するようにさらに構成される。中央制御の概念は、図２から図６Ｂに関連して、より完全に説明される。
【００１５】
図２は、本開示のある実施形態による、異なるリンクを介した制御信号伝達を例証する概略図である。図２に示される要素の基本動作は、図１に示される対応する要素の動作と同一である。したがって、例えば、中継ノード２００は、図１の中継ノード１０２に類似し、ＵＡ２０４は、ＵＡ１１０に類似し、ＵＡ２０２は、ＵＡ１０４に類似し、アクセスノード２０８は、アクセスノード１０６に類似する。加えて、図２は、中継ノード２００に対する制御信号伝達をさらに例証する。中継ノード２００は、中継（ドナー）セル２０６内で動作する。
【００１６】
いくつかの中継は、適応変調およびコード化（ＡＭＣ）とハイブリッド自動再送要求（ＨＡＲＱ）とが、中継ノード２００とＵＡ２０４との間のアクセスリンクに対して行われるように影響を及ぼす、媒体アクセス制御（ＭＡＣ）機能性を有する場合がある。本明細書で使用されるように、媒体アクセス制御（ＭＡＣ）は、７層ＯＳＩモデル内に指定されるデータリンク層のデータ通信プロトコルサブ層である。媒体アクセス制御は、ＯＳＩモデルの層２である。ＭＡＣ機能性は、可能性のあるいくつかのターミナルまたはネットワークノードをマルチポイントネットワークと通信させる、アドレス指定およびチャネルアクセス制御機構を提供する。また、ＭＡＣ機能性は、無線リンク制御（ＲＬＣ）サブ層とネットワークの物理的層との間のインターフェースとして作用する。本明細書で使用されるように、適応変調およびコード化（ＡＭＣ）は、経路損失、チャネル条件、他の送信機からの信号による干渉、受信機の感度、利用可能な送信機電力余裕等の無線リンクに関する条件に対する、変調、コード化、ならびに他の信号およびプロトコルパラメータの整合を指す。本明細書で使用されるように、ハイブリッド自動再送要求（ＨＡＲＱ）は、エラー検出ビットおよび順方向エラー補正ビットを使用する、エラー制御方法である。
【００１７】
制御信号伝達は、中継ノード２００とアクセスノード２０８との間のリンクである、中継リンクのために使用される。具体的には、制御信号伝達は、リソース割り当ておよびスケジューリングだけではなく、層１フィードバックを処理するために使用される。また、制御信号伝達は、アクセスノード２０８とＵＡ２０２等のＵＡとの間に直接確立されたリンクである、直接リンクを介して使用される。
【００１８】
アクセスリンク、直接リンク、および中継リンク間の可能性のある干渉によって、中継ノード制御信号伝達に問題が生じ得る。典型的干渉のタイプについては、図３および図４に関連して、さらに説明される。さらに、アクセスリンク上で伝送するために、中継ノードおよびＵＡは、発音基準信号（ＳＲＳ）リソースがＵＡに割り当てられることを要求する、タイミング整合を取得および維持すべきである。本明細書で使用されるように、発音基準信号は、アップリンクチャネル条件予測およびタイミング整合予測のための信号を提供するために伝送される、信号である。発音基準信号は、中継リンク、アクセスリンク、または直接リンクのアップリンク上で使用され得る。例えば、直接リンクを介して、アップリンク伝送を行うために、ＵＡは、ＳＲＳをアクセスノードに送信すべきである。別の実施例として、アクセスリンクを介して、アップリンク伝送を行うために、ＵＡ  ＵＡは、ＳＲＳを中継ノードに送信すべきである。
【００１９】
図２を参照すると、直接リンク、中継リンク、およびアクセスリンクを介して、可能性として要求される制御信号伝達が、示される。直接リンクは、矢印２１０および矢印２１２によってさらに示されるように、ＵＡ２０２とアクセスノード２０８との間のリンクとして示される。中継リンクは、矢印２１４および矢印２１６によってさらに示されるように、中継ノード２００とアクセスノード２０８との間のリンクとして示される。アクセスリンクは、矢印２１８および矢印２２０によってさらに示されるように、ＵＡ２０４と中継ノード２００との間のリンクとして示される。
【００２０】
アクセスノード２０８は、中継ノード２００がＵＡであるかのように、中継ノード２００を扱うことが可能であるため、中継リンクは、ＵＡ２０２とアクセスノード２０８との間の直接リンクとして、同一物理的ダウンリンク制御チャネル（ＰＤＣＣＨ）、物理的アップリンク制御チャネル（ＰＵＣＣＨ）、および発音基準信号（ＳＲＳ）構成を共有してもよい。別の実施形態では、中継リンクを介した制御信号伝達が、ＰＤＣＣＨ／ＰＵＣＣＨ／ＳＲＳ以外の異なる物理的層制御チャネルを介して搬送されてもよい。本明細書で使用されるように、物理的アップリンク制御チャネル（ＰＵＣＣＨ）とは、チャネル品質インジケータ（ＣＱＩ）、多入力多出力（ＭＩＭＯ）関連フィードバック、肯定／否定（ＡＣＫ／ＮＡＣＫ）フィードバック等を搬送する、物理的アップリンクチャネルを指す。本明細書で使用されるように、物理的アップリンク制御信号リソースは、ＰＵＣＣＨおよび／またはＳＲＳ、ならびに可能性として、他の物理的アップリンク制御信号リソースを含み得る。
【００２１】
しかしながら、ＵＡ２０４と中継ノード２００との間のアクセスリンクの場合、制御信号伝達および発音基準信号伝送のためにリソースを割り当てる際、考慮されなければならない、可能性のある干渉シナリオが生じ得る。例えば、ダウンリンク上では、中継（ドナー）セル２０６内のＵＡ２０４は、アクセスリンクの物理的ダウンリンク制御チャネル（ＰＤＣＣＨ）を監視するであろう。この場合、直接リンクから生じる物理的ダウンリンク制御チャネル干渉が存在し得る。同様に、干渉はまた、物理的ハイブリッド自動再送要求インジケータチャネル（ＰＨＩＣＨ）に対しても生じる。本明細書で使用されるように、物理的ハイブリッド自動再送要求インジケータチャネル（ＰＨＩＣＨ）とは、ＨＡＲＱフィードバックが伝送される、物理的チャネルを指す。
【００２２】
さらに、アップリンク上では、アクセスリンクおよび直接リンク（または、中継リンク）を介した物理的アップリンク制御チャネルもまた、リソースが調整されていない場合、干渉し得る。生じ得るあらゆる異なるタイプの干渉を考慮して、制御信号伝達リソース調整は、中継セル２０６等のドナーセルのために望ましい。
【００２３】
図３は、本開示のある実施形態による、ダウンリンク制御信号伝達干渉を例証する概略図である。図３に関連して説明される干渉シナリオは、図２に関連して説明される干渉シナリオのうちの１つである。ＵＡ２０２、ＵＡ２０４、中継セル２０６、中継セル２０６、およびアクセスノード２０８は、図１および図２の対応するデバイスに類似しており、したがって、類似参照番号を使用する。
【００２４】
具体的には、図３は、アクセスリンクと直接リンクとの間のダウンリンク上における、可能性のある物理的ダウンリンク制御チャネル（ＰＤＣＣＨ）および物理的ハイブリッド自動再送要求インジケータチャネル（ＰＨＩＣＨ）干渉を示す。矢印３００によって示されるアクセスリンクは、中継ノード２００とＵＡ２０４との間のリンクである。矢印３０２によって示される直接リンクは、アクセスノード２０８とＵＡ２０２との間のリンクである。矢印３０４によって示される直接リンク上の干渉、ならびに矢印３０６によって示されるアクセスリンク上の干渉は、アクセスリンクおよび直接リンク上で同時に交換される、ＰＤＤＣＨ／ＰＨＩＣＨによって生じる。
【００２５】
アクセスと直接リンクとの間の物理的ダウンリンク制御チャネル干渉を回避するために、アクセスノード２０８は、アクセスノード２０８によってサービス提供される、中継ノードによる使用のために、物理的ダウンリンク制御チャネルリソースを割り当てるべきである。順に、中継ノード２００は、アクセスリンクを介して、それらの割り当てされた物理的ダウンリンク制御チャネルリソースのみを使用し、例えば、ＵＡをスケジューリング可能である。
【００２６】
アクセスノード２０８は、負荷条件および他の要因に基づいて、中継ノード２００のために割り当てされたリソースを随時調節してもよい。ＵＡは、中継ノード２００に割り当てられた物理的ダウンリンク制御チャネルリソースのみ監視してもよい。これらのリソースは、初期接続の際、アクセスノード２０８によって、無線リソース制御（ＲＲＣ）信号伝達を使用して、またはブロードキャスト制御チャネル（ＢＣＣＨ）を使用して、ＵＡに信号伝達可能である。リソースをＵＡに信号伝達する別の可能性のある方法は、中継ノード２００を使用することである。代替として、これらのリソースは、事前に構成または規定可能である。
【００２７】
２つの中継ノードが、遠く離れて離間しており、潜在的干渉の可能性が低い場合、アクセスリンクを介して割り当てられた物理的ダウンリンク制御チャネルリソースは、再使用され得る。便宜的事例は、再使用係数が１である場合である、すなわち、物理的ダウンリンク制御チャネルを介した中継ノード間において、干渉回避がサポートされていないことを意味する。別の便宜的事例は、全中継ノードが、アクセスノードと同一リソースを使用する場合である。この場合、干渉調整は、サポートされていない。
【００２８】
物理的ハイブリッド自動再送要求インジケータチャネルリソースは、アップリンク物理的アップリンク共有チャネル（ＰＵＳＣＨ）リソースにリンクされることに留意されたい。物理的ハイブリッド自動再送要求インジケータチャネル干渉は、アクセスリンクおよび直接リンクを介したＰＵＳＣＨ伝送が、異なるリソース上である場合、回避可能である。
【００２９】
したがって、本開示は、アクセスリンクおよび直接リンクからの同時伝送による干渉の問題に対する可能性のある解決策の１つとして、物理的ダウンリンク制御チャネルおよび物理的ハイブリッド自動再送要求インジケータチャネルを割り当てる、または調整するためのアクセスノード２０８を提供する。割り当ては、動的、準静的、または静的に実装可能である。いくつかの実施形態では、可能である場合、アクセスノードによる制御チャネルリソースの割り当ては、可能な限り自律的であるべきである。
【００３０】
順に、中継ノードは、割り当てられたダウンリンク制御信号伝達リソースのみを使用して、干渉を回避する。したがって、中継ノード２００およびアクセスノード２０８は、直接リンク上のＵＡ２０２とアクセスリンク上のＵＡ２０４との間の干渉を回避するように協働可能である。
【００３１】
図４は、本開示のある実施形態による、アップリンク制御信号伝達干渉を例証する概略図である。図３同様に、図４に関連して説明される干渉シナリオは、図２に関連して説明される干渉シナリオのうちの１つである。ＵＡ２０２、ＵＡ２０４、中継セル２０６、中継セル２０６、およびアクセスノード２０８は、図１および図２の対応するデバイスに類似しており、したがって、類似参照番号を使用する。図３と共通の図４の対象は、同様に、類似参照番号を共有する。
【００３２】
具体的には、図４は、直接リンクおよびアクセスリンクを介した、物理的アップリンク制御チャネル（ＰＵＣＣＨ）および発音基準信号（ＳＲＳ）の可能性のある干渉を示す。
合わせて、ＰＵＣＣＨおよびＳＲＳは、物理的アップリンク制御信号伝達リソースと称され得る。図３におけるように、矢印３００によって示されるアクセスリンクは、中継ノード２００とＵＡ２０４との間のリンクである。矢印３０２によって示される直接リンクは、アクセスノード２０８とＵＡ２０２との間のリンクである。矢印３０４によって示される直接リンク上の干渉、ならびに矢印３０６によって示されるアクセスリンク上の干渉は、アクセスリンクおよび直接リンク上で同時に交換される、ＰＵＣＣＨおよびＳＲＳによって生じる。
【００３３】
再び、アップリンク上の干渉の問題を回避するために、アクセスノード２０８は、アップリンク制御信号伝達リソースのための中央制御機構として作用可能である。アップリンク制御信号伝達リソースの実施例として、アップリンクチャネル品質インジケータ（ＣＱＩ）、プリコーディングマトリクスインジケータ（ＰＭＩ）、および順位表示（ＲＩ）を含む、発音基準信号（ＳＲＳ）およびＰＵＣＣＨリソースが挙げられる。アップリンクリソースは、アクセスノード２０８によって決定され、無線リソース制御信号伝達を使用して、ＵＡ２０４に信号伝達される。本制御信号伝達は、中継ノード２００を経由して、実装されてもよい。本プロシージャは、中継上で接続保留された各ＵＡのために、例えば、直接リンクＵＡ２０２およびアクセスリンクＵＡ２０４を含む、ＲＲＣ＿ＣＯＮＮＥＣＴＥＤ状態にある各ＵＡのために、行われてもよい。しかしながら、ＵＡが、中継ノードに接続されている場合、そのＵＡは、直接リンクを経由する代わりに、中継リンクを経由して、割り当てられたＰＵＣＣＨリソースの信号伝達を受信してもよい。
【００３４】
一実施形態では、アクセスノード２０８は、アクセスリンクＵＡ２０４ならびに中継ノード２００のために、割り当てられた物理的アップリンク制御チャネルおよび発音基準信号（ＰＵＣＣＨおよびＳＲＳ）リソース（物理的アップリンク信号伝達リソース）を信号伝達する。アクセスノード２０８は、例えば、初期連結プロシージャまたは無線リソース制御再構成プロシージャの際、無線リソース制御信号伝達を経由して、本タスクを達成する。アップリンクＣＱＩ、ＰＭＩ、ＲＩ、およびＳＲＳリソース再使用は、２つのＵＡが遠く離れた２つの異なる中継ノードに連結されると、可能となる。本アップリンクリソース再使用は、アクセスノード２０８が、全中継ノードおよびそれらの対応する接続保留されたＵＡに関する全体的情報を有するために可能となる。本明細書で使用されるように、用語「接続保留された」とは、ＵＡが、中継ノードまたはアクセスノード等の対応するデバイスに接続される、あるいは通信することを意味する。
【００３５】
アップリンク否定／肯定（ＮＡＣＫ／ＡＣＫ）リソースは、ダウンリンク物理的ダウンリンク制御チャネルリソースと関連付けられる。アクセスノード２０８および中継ノード２００からのダウンリンク物理的ダウンリンク制御チャネルが、同一伝送時間間隔（ＴＴＩ）において、異なるリソースを介する場合、アップリンクＮＡＣＫ／ＡＣＫリソースに干渉は存在しない。中継リンク（矢印３００）上では、ＣＱＩ、ＰＭＩ、ＲＩ、およびＳＲＳリソースは、アクセスノード２０８によって割り当てられる。しかしながら、中継ノード２００は、可能性として、固定見通し線リンクであるため、要求されるリソースは、非常に小さくなり得る。
【００３６】
図５Ａは、本開示のある実施形態による、アクセスノードを使用して、ダウンリンク物理的ダウンリンク制御チャネルリソースを割り当てるための方法の工程図である。図５Ａに示されるプロセスは、図１から図４に関連して説明されたデバイスおよび方法を使用して、実装可能である。特に、図５Ａに示されるプロセスは、少なくとも部分的に、アクセスノードに実装される。
【００３７】
プロセスは、アクセスノードが、物理的ダウンリンク制御チャネル（ＰＤＣＣＨ）リソースを中継ノードに割り当てるのに伴って開始し、ＰＤＣＣＨリソースは、中継ノードによる使用のために構成される（ブロック５００Ａ）。次いで、アクセスノードは、アクセスノードを独占的に使用して、中継ノードへのＰＤＣＣＨリソースの割り当てを制御する（ブロック５０２Ａ）。このように、アクセスノードは、中継ノードと、また、アクセスノードによって支配される任意の他の中継ノードとへの全ＰＤＣＣＨリソースの割り当てを制御する。また、アクセスノードは、アクセスノードと直接通信（直接リンク）するＵＡのために、全ＰＤＣＣＨリソース割り当てを制御する。
【００３８】
以下のプロセスブロック、ブロック５０４Ａおよび５０６Ａは、任意であるが、さらに、サービスを向上させるために使用可能である。プロセスブロック５０４Ａおよび５０６Ａは、アクセスノードが、２つ以上の中継ノードへの物理的ダウンリンク制御チャネルリソースの割り当てを制御し得ることを示すように提供される。
【００３９】
最初に、アクセスノードは、第２の物理的ダウンリンク制御チャネル（ＰＤＣＣＨ）リソースを第２の中継ノードに割り当てる（ブロック５０４Ａ）。次いで、アクセスノードは、アクセスノードを独占的に使用して、中継ノードへのＰＤＣＣＨリソースの割り当てと、第２の中継ノードへの第２のＰＤＣＣＨリソーの割り当てとを制御する（ブロック５１４Ａ）。その後、プロセスは、終了する。
【００４０】
図５Ｂは、本開示のある実施形態による、中継ノードを使用して、ダウンリンク物理的ダウンリンク制御チャネルリソースを許可するための方法の工程図である。図５Ｂに示されるプロセスは、図１から図４に関連して説明されたデバイスおよび方法を使用して、実装可能である。特に、図５Ｂに示されるプロセスは、少なくとも部分的に、中継ノードに実装される。
【００４１】
プロセスは、中継ノードが、物理的ダウンリンク制御チャネル（ＰＤＣＣＨ）リソースをアクセスノードから受信するのに伴って開始する（ブロック５００Ｂ）。次いで、中継ノードは、ＰＤＣＣＨリソースのうち、受信したＰＤＣＣＨリソースのみ使用する（ブロック５０２Ｂ）。また、中継ノードは、割り当てられたＰＤＣＣＨリソースを使用して、ＵＡのためのスケジューリングを提供可能である（ブロック５０４Ｂ）。その後、プロセスは、終了する。
【００４２】
図６Ａは、本開示のある実施形態による、アクセスノードを使用して、アップリンク物理的ダウンリンク制御チャネルリソースを許可するための方法の工程図である。図６Ａに示されるプロセスは、図１から図４に関連して説明されたデバイスおよび方法を使用して、実装可能である。特に、図６Ａに示されるプロセスは、少なくとも部分的に、アクセスノードに実装される。
【００４３】
プロセスは、アクセスノードが、ＵＡがアクセスノードまたは中継ノード上で接続保留されていることの表示を受信するのに伴って開始する（ブロック６００Ａ）。次いで、アクセスノードは、アップリンク伝送のために、ＵＡによる使用のためのアップリンク制御信号伝達リソース、例えば、ＰＵＣＣＨリソースおよびＳＲＳリソースを割り当てる（ブロック６０２Ａ）。ＰＵＣＣＨリソースの実施例として、チャネル品質インジケータ（ＣＱＩ）、プリコーディングマトリクスインジケータ（ＰＭＩ）、順位表示（ＲＩ）、発音基準信号（ＳＲＳ）、および他の可能性のあるＰＵＣＣＨリソースが挙げられる。
【００４４】
随意に、アクセスノードは、中継ノードに、ＵＡに割り当てられたＰＵＣＣＨリソースおよびＳＲＳリソース（物理的アップリンク制御信号伝達リソース）を通知する（ブロック６０４Ａ）。本通知は、ＵＡが、中継ノード上で接続保留されている場合に生じるべきである。
【００４５】
随意に、アクセスノードは、リソースをアップデートすべきかどうかを決定する（ブロック６０６Ａ）。リソースが、アップデートされる場合、アクセスノードは、リソースをアップデートする（ブロック６０８Ａ）。次いで、アクセスノードは、アップリンク上での使用のために、ＵＡのためのアップデートされたリソースを割り当てる（ブロック６１０Ａ）。プロセスは、ステップ６０４Ａに戻り、そこで、アクセスノードは、中継ノードに、アップデートされたリソースを通知する。ブロック６０６Ａに戻ると、リソースにアップデートがされていない場合、プロセスは、終了する。
【００４６】
また、実施形態は、アクセスノードに対応する方法を提供する。アクセスノードは、ユーザエージェントへの物理的アップリンク制御信号伝達リソースの伝送を促進するように構成される。物理的アップリンク制御信号伝達リソースは、アクセスノードによって、ユーザエージェントによるアップリンク伝送のために構成される。アクセスノードは、物理的アップリンク制御信号伝達リソースの割り当てを独占的に制御するようにさらに構成される。
【００４７】
ある実施形態では、ユーザエージェントは、中継ノードと通信する。この場合、プロセッサは、中継ノードへの物理的アップリンク制御チャネル信号伝達リソースの伝送を促進するようにさらに構成されてもよい。
【００４８】
別の実施形態では、物理的アップリンク制御信号伝達リソースは、物理的アップリンク制御チャネル（ＰＵＣＣＨ）および発音基準信号（ＳＲＳ）のうちの１つである。物理的アップリンク制御信号伝達リソースは、アップリンクチャネル品質インジケータ（ＣＱＩ）、プリコーディングマトリクスインジケータ（ＰＭＩ）、および順位表示（ＲＩ）のうちの少なくとも１つを備える、ＰＵＣＣＨリソースであり得る。アクセスノードは、ＰＵＣＣＨリソースおよびＳＲＳリソースのうちの少なくとも１つを決定するようにさらに構成されてもよい。
【００４９】
別の実施形態では、物理的アップリンク制御信号伝達リソースは、直接リンク、アクセスリンク、および中継リンクのうちの１つを介して伝送される。アクセスノードは、無線リソース制御（ＲＲＣ）信号伝達を使用して、ＰＵＣＣＨリソースおよびＳＲＳリソースのうちの少なくとも１つを伝送するようにさらに構成されてもよい。
【００５０】
図６Ｂは、本開示のある実施形態による、中継ノードを使用して、物理的アップリンク制御チャネルリソースを許可するための方法の工程図である。図６Ｂに示されるプロセスは、図１から図４に関連して説明されたデバイスおよび方法を使用して、実装可能である。特に、図６Ｂに示されるプロセスは、少なくとも部分的に、中継ノードに実装される。
【００５１】
プロセスは、中継ノードが、アップリンク上での使用のための１つ以上のＰＵＣＣＨおよびＳＲＳリソースが１つ以上のＵＡに割り当てられたことの表示をアクセスノードから受信するのに伴って開始する（ブロック６００Ｂ）。そのようなＰＵＣＣＨリソースの実施例として、チャネル品質インジケータ（ＣＱＩ）、プリコーディングマトリクスインジケータ（ＰＭＩ）、順位表示（ＲＩ）、発音基準信号（ＳＲＳ）、および他の可能性のあるＰＵＣＣＨリソースが挙げられる。次いで、中継ノードは、ＵＡのために割り当てられたリソースのうちの１つ以上上でＵＡから伝送を受信する（ブロック６０２Ｂ）。その後、プロセスは、終了する。
【００５２】
ＵＡ（ＵＡ）１１０および上述の他の構成要素は、上述の作用に関連する命令を実行可能である、処理構成要を含む場合がある。図７は、本明細書に開示される１つ以上の実施形態を実装するために好適案処理構成要素１３１０を含む、システム１３００の実施例を例証する。プロセッサ１３１０（中央処理装置またはＣＰＵと称され得る）に加え、システム１３００は、ネットワーク接続デバイス１３２０、ランダムアクセスメモリ（ＲＡＭ）１３３０、読取専用メモリ（ＲＯＭ）１３４０、二次記憶装置１３５０、および入／出力（Ｉ／Ｏ）デバイス１３６０を含む場合がある。これらの構成要素は、バス１３７０を経由して、相互に通信する場合がある。ある場合には、これらの構成要素のうちのいくつかは、存在しなくてもよく、または相互または図示されない他の構成要素との種々の組み合わせにおいて組み合わせされてもよい。これらの構成要素は、単一の物理的エンティティまたは２つ以上の物理的エンティティ内に位置する場合がある。プロセッサ１３１０によって行われる、本明細書に説明される任意の作用は、プロセッサ１３１０単独によって、あるいはデジタル信号プロセッサ（ＤＳＰ）１３０２等の図面に図示される、または図示されない、１つ以上の構成要素と併せて、プロセッサ１３１０によって、行われる場合がある。ＤＳＰ５０２は、別個の構成要素として示されるが、ＤＳＰ５０２は、プロセッサ１３１０内に組み込まれる場合がある。
【００５３】
プロセッサ１３１０は、ネットワーク接続デバイス１３２０、ＲＡＭ１３３０、ＲＯＭ１３４０、または二次記憶装置１３５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１３１０のみ示されるが、複数のプロセッサが存在してもよい。したがって、命令は、プロセッサによって実装されるように論じられ得るが、命令は、１つまたは複数のプロセッサによって、同時に、連続的に、または別様に実行されてもよい。プロセッサ１３１０は、１つ以上のＣＰＵチップとして実装されてもよい。
【００５４】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバー分散データインタフェース（ＦＤＤＩ）デバイス、無線ローカルエリアネットワーク（ＷＬＡＮ）デバイス、符号分割多重アクセス方式（ＣＤＭＡ）デバイス等の無線送受信機デバイス、グローバル・システム・フォー・モバイル・コミュニケーションズ（ＧＳＭ）無線送受信機デバイス、ワイマックス（ＷｉＭＡＸ）デバイス、および／またはネットワークに接続するための他の周知のデバイスの形態をとってもよい。これらのネットワーク接続デバイス１３２０によって、プロセッサ１３１０は、プロセッサ１３１０が情報を受信する、またはプロセッサ１３１０が情報を出力し得る、インターネットまたは１つ以上の電気通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００５５】
ＲＡＭ１３３０は、揮発性データと、恐らく、プロセッサ１３１０によって実行される命令とを格納するために使用される場合がある。ＲＯＭ１３４０は、典型的には、二次記憶装置１３５０のメモリ容量より小さいメモリ容量を有する、不揮発性メモリデバイスである。ＲＯＭ１３４０は、命令と、恐らく、命令の実行の際に読み取られるデータとを格納するために使用される場合がある。ＲＡＭ１３３０およびＲＯＭ１３４０の両方へのアクセスは、典型的には、二次記憶装置１３５０へよりも高速である。二次記憶装置１３５０は、典型的には、１つ以上のディスクドライプまたはテープドライブから構成され、データの不揮発性記憶のため、またはＲＡＭ１３３０が、全作業データを保持するために十分な大きさではない場合、オーバーフローデータ記憶デバイスとして、使用される場合がある。二次記憶装置１３５０は、プログラムが、実行のために選択されると、ＲＡＭ１３３０にロードされる、そのようなプログラムを記憶するために使用されてもよい。
【００５６】
Ｉ／Ｏデバイス１３６０は、液晶ディスプレイ（ＬＣＤ）、タッチスクリーンディスプレイ、キーボード、スイッチ、ダイヤル、マウス、トラックボール、音声認識装置、カードリーダ、ペーパーテープリーダ、プリンタ、ビデオモニタ、または他の周知の入力デバイスを含んでもよい。また、送受信機１３２５は、ネットワーク接続デバイス１３２０の構成要素の代わりに、またはそれに加えて、Ｉ／Ｏデバイス１３６０の構成要素であると見なされる場合がある。
【００５７】
以下は、あらゆる目的のために、参照することによって本明細書に組み込まれる。第３世代パートナーシッププロジェクト（３ＧＰＰ）技術仕様（ＴＳ）３６．８１３および３ＧＰＰ  ＴＳ  ３６．８１４。
【００５８】
中継ノードへの物理的ダウンリンク制御チャネル（ＰＤＣＣＨ）リソースの割り当てを促進するように構成される、プロセッサを備える、アクセスノードであって、ＰＤＣＣＨリソースは、中継ノードによる使用のために構成され、アクセスノードは、ＰＤＣＣＨリソースの割り当てを独占的に制御するようにさらに構成される、アクセスノード。
【００５９】
アクセスノードに実装される、方法。物理的ダウンリンク制御チャネル（ＰＤＣＣＨ）リソースを中継ノードに割り当てるステップを備え、ＰＤＣＣＨリソースは、中継ノードによる使用のために構成される、方法。アクセスノードを独占的に使用して、ＰＤＣＣＨリソースの割り当てを制御するステップをさらに備える、方法。
【００６０】
物理的ダウンリンク制御チャネル（ＰＤＣＣＨ）リソースのアクセスノードからの受信を促進するように構成される、プロセッサを含む、中継ノードであって、受信したＰＤＣＣＨリソースを使用するようにさらに構成される、中継ノード。
【００６１】
物理的ダウンリンク制御チャネル（ＰＤＣＣＨ）リソースをアクセスノードから受信するステップと、      少なくともいくつかのＰＤＣＣＨリソースのうち、受信したＰＤＣＣＨリソースのみを使用するステップと、を含む、中継ノードに実装される方法。
【００６２】
アクセスノードであって、 ユーザエージェントへの物理的アップリンク制御信号伝達
リソースの伝送を促進するように構成される、プロセッサを有し、物理的アップリンク制御信号伝達リソースは、アクセスノードによって、ユーザエージェントによるアップリンク伝送のために構成され、アクセスノードは、物理的アップリンク制御信号伝達リソースの割り当てを独占的に制御するようにさらに構成される、アクセスノード。
【００６３】
アクセスノードに実装される方法。物理的アップリンク制御信号伝達リソースをユーザエージェントに伝送するステップを含み、物理的アップリンク制御信号伝達リソースは、アクセスノードによって、ユーザエージェントによるアップリンク伝送のために構成される、方法。   アクセスノードを独占的に使用して、物理的アップリンク制御信号伝達リソースの割り当てを制御するステップをさらに含む、方法。物理的アップリンク制御信号伝達リソースのアクセスノードからの受信を促進するように構成される、プロセッサを有する、ユーザエージェントであって、少なくともいくつかの物理的アップリンク制御信号伝達リソースのうち、受信した物理的アップリンク制御信号伝達リソースのみを使用するようにさらに構成される、ユーザエージェント。
【００６４】
ユーザエージェントに実装される方法。物理的アップリンク制御信号伝達リソースをアクセスノードから受信するステップを含む、方法。少なくともいくつかの物理的アップリンク制御信号伝達リソースのうち、受信した物理的アップリンク制御信号伝達リソースのみを使用するステップをさらに含む、方法。
【００６５】
いくつかの実施形態が、本開示に提供されたが、開示されるシステムおよび方法は、本開示の精神または範囲から逸脱することなく、多くの他の特定の形態において具現化されてもよいことを理解されたい。本実施例は、制限ではなく、例証として見なされ、本明細書に与えられる詳細に限定されないことが意図される。例えば、種々の要素または構成要素は、組み合わせられる、または別のシステムに統合されてもよく、あるいはある特徴は、省略される、または実装されなくてもよい。
【００６６】
また、個別または別個として、種々の実施形態に説明および例証される、技術、システム、サブシステム、ならびに方法は、本開示の範囲から逸脱することなく、他のシステム、モジュール、技術、または方法と組み合わせられる、あるいは統合されてもよい。結合される、または直接結合される、あるいは相互に通信するように示される、もしくは論じられる、他のアイテムは、電気的に、機械的に、または別様にかにかかわらず、いくつかのインターフェース、デバイス、あるいは中間構成要素を通して、間接的に結合される、もしくは通信してもよい。変更、代用、および改変の他の実施例も、当業者によって究明可能であって、本明細書に開示される精神および範囲から逸脱することなく、成され得る。
【図１】
0005558606.tif 000002
【図２】
0005558606.tif 000003
【図３】
0005558606.tif 000004
【図４】
0005558606.tif 000005
【図５Ａ】
0005558606.tif 000006
【図５Ｂ】
0005558606.tif 000007
【図６Ａ】
0005558606.tif 000008
【図６Ｂ】
0005558606.tif 000009
【図７】
0005558606.tif 000010